(57)【要約】【課題】ゲートに設置された読み取り装置によって、確実に識別記号を読み取ることが可能なＲＦＩＤタグ付きゼッケンを提供する。【解決手段】第１の領域１０、第２の領域２０、及び第３の領域３０が第１の方向Ｉに沿ってこの順に接続されたシート状体６０を備える。第１の領域と第２の領域とは、谷折り可能な第１の境界線１５を介して接続されている。第２の領域と前記第３の領域とは、第２の境界線２５を介して接続されている。第２の領域又は第３の領域には、ＲＦＩＤタグ４０が取り付けられている。第１の境界線には、スリット５５が形成されている。第３の領域の、第２の境界線と反対の側には、スリットと係合する係合部５０が設けられている。第２の領域及び第３の領域は、第１の境界線が谷折りされることによって、第１の領域に対して起立可能である。【選択図】図１
2014191293.tif 000002
【特許請求の範囲】
【請求項１】
第１の領域、第２の領域、及び第３の領域が第１の方向に沿ってこの順に接続されたシート状体を備え、
前記第１の領域と前記第２の領域とは、谷折り可能な第１の境界線を介して接続され、
前記第２の領域と前記第３の領域とは、第２の境界線を介して接続され、
前記第２の領域又は前記第３の領域には、ＲＦＩＤタグが取り付けられ、
前記第１の境界線には、スリットが形成され、
前記第３の領域の、前記第２の境界線と反対の側には、前記スリットと係合する係合部が設けられ、
前記第２の領域及び前記第３の領域は、前記第１の境界線が谷折りされることによって、前記第１の領域に対して起立可能である
ことを特徴とするＲＦＩＤタグ付きゼッケン。
【請求項２】
第１の領域、第２の領域、及び第３の領域が第１の方向に沿ってこの順に接続されたシート状体を備え、
前記第１の領域と前記第２の領域とは、谷折り可能な第１の境界線を介して接続され、
前記第２の領域と前記第３の領域とは、第２の境界線を介して接続され、
前記第２の領域又は前記第３の領域には、ＲＦＩＤタグが取り付けられ、
前記第１の領域には、スリットが形成され、
前記第３の領域の、前記第２の境界線と反対の側には、前記スリットと係合する係合部が設けられ、
前記第２の領域及び前記第３の領域は、前記第１の境界線が谷折りされることによって、前記第１の領域に対して起立可能である
ことを特徴とするＲＦＩＤタグ付きゼッケン。
【請求項３】
さらに、前記第１の境界線にスリットが形成されている
ことを特徴とする請求項２に記載のＲＦＩＤタグ付きゼッケン。
【請求項４】
第１の領域、第２の領域、及び第３の領域が第１の方向に沿ってこの順に接続されたシート状体を折り曲げて構成され、
前記第１の領域と前記第２の領域とは、第１の境界線を介して接続され、
前記第２の領域と前記第３の領域とは、第２の境界線を介して接続され、
前記第２の領域には、ＲＦＩＤタグが取り付けられ、
前記第１の境界線が前記表面に対して谷折りされており、前記第２の領域は、前記第１の領域に対して起立している
ことを特徴とするＲＦＩＤタグ付きゼッケン。
【請求項５】
前記第２の境界線は、折り曲げ可能に形成されている
ことを特徴とする請求項１に記載のＲＦＩＤタグ付きゼッケン。
【請求項６】
前記第２の境界線が、折り曲げられている
ことを特徴とする請求項４に記載のＲＦＩＤタグ付きゼッケン。
【請求項７】
前記第２の領域と前記第３の領域とは、前記第１の方向に沿った寸法が異なる
ことを特徴とする請求項５又は６に記載のＲＦＩＤタグ付きゼッケン。
【請求項８】
前記第２の境界線は、折り曲げ可能に形成されている
ことを特徴とする請求項２又は３に記載のＲＦＩＤタグ付きゼッケン。
【請求項９】
前記第２の領域は、前記第１の方向に沿った寸法が前記第３の領域よりも大きい
ことを特徴とする請求項８に記載のＲＦＩＤタグ付きゼッケン。
【請求項１０】
第１の領域、第２の領域、及び第３の領域が第１の方向に沿ってこの順に接続されたシート状体を備え、
前記第１の領域と前記第２の領域とは、谷折り可能な第１の境界線を介して接続され、
前記第２の領域と前記第３の領域とは、第２の境界線を介して接続され、
前記第２の領域又は前記第３の領域には、ＲＦＩＤタグが取り付けられ、
前記第２の領域及び前記第３の領域は、前記第１の境界線が谷折りされることによって、前記第１の領域に対して起立可能であり、
前記第２の境界線は、折り曲げ可能に形成されており、
前記第２の領域と前記第３の領域とは、前記第１の方向に沿った寸法が異なる
ことを特徴とするＲＦＩＤタグ付きゼッケン。
【請求項１１】
前記第１の境界線は、前記第１の領域又は前記第２の領域側に凸の折れ線又は曲線である
ことを特徴とする請求項１〜１０のいずれか一項に記載のＲＦＩＤタグ付きゼッケン。
【発明の詳細な説明】
【技術分野】
【０００１】
この発明は、マラソン等の競技において使用されるゼッケンであって、順位や所要タイム等を管理するために用いられるＲＦＩＤタグを備えるＲＦＩＤタグ付きゼッケンに関する。
【背景技術】
【０００２】
多数の参加者が参加するマラソン等の競技では、スタート地点、ゴール地点、並びにスタート地点及びゴール地点の間の適宜の中間地点において、参加者を識別し、順位や所要時間等を記録する必要がある。そこで、各参加者が装着するゼッケンに、それぞれを識別する識別記号を有するＲＦＩＤタグを取り付けることが提案されている（例えば特許文献１及び特許文献２参照）。
【０００３】
ＲＦＩＤタグが有する識別記号は、読み取り装置によって読み取られる。読み取り装置は、例えばスタート地点、ゴール地点、並びにスタート地点及びゴール地点の間の適宜の中間地点に設けられたゲートに設置される。そして、参加者が、ゲートを通過する際に、識別記号を読み取る。その結果、ＲＦＩＤタグが取り付けられたゼッケン（以下、ＲＦＩＤタグ付きゼッケンとも称する）を装着する参加者の順位や所要タイムを、識別記号によって識別して管理することができる。
【先行技術文献】
【特許文献】
【０００４】
【特許文献１】特開２００５−２２７５６４号公報
【特許文献２】実開平８−８４７号公報
【発明の概要】
【発明が解決しようとする課題】
【０００５】
ＲＦＩＤタグは、情報を記憶するＩＣチップと、情報の送受信に用いられるアンテナとを備えている。ＲＦＩＤタグが所謂受動型である場合には、ＩＣチップは、情報の読み取りや書き込みを行うリーダ／ライタからの電磁波の受信に応答して起動し、ＩＣチップ内の情報を電磁波として送信する。
【０００６】
ここで、人体は水分を含んでいる。そのため、ＲＦＩＤタグが受動型である場合、参加者に装着された状態のＲＦＩＤタグ付きゼッケンでは、リーダ／ライタが発信した電磁波によりアンテナに誘起される起電力が低下し、そのため、ＩＣチップが作動しないという問題がある。
【０００７】
また、従来のＲＦＩＤタグ付きゼッケンでは、ゼッケンの表面に沿ってＲＦＩＤタグが取り付けられる。そして、ＲＦＩＤタグ付きゼッケンは、通常、参加者の胸部に装着される。一方、多くの場合、読み取り装置は、ゲートの上部や側部、又はゲート地点の地面等の、ＲＦＩＤタグ付きゼッケンと正対しない位置に設置される。ＲＦＩＤタグ付きゼッケンと正対しない位置に設置された読み取り装置は、ＲＦＩＤタグを側面から走査することになる。そのため、ＲＦＩＤタグが受動型のＲＦＩＤタグである場合において、参加者の、ＲＦＩＤタグ付きゼッケンを装着する位置、又はゲートを通過する際の参加者の姿勢等によっては、ＲＦＩＤタグを側面から走査すると、読み取り装置は、ＲＦＩＤタグの識別記号を読み取ることができない。
【０００８】
この発明の目的は、ＲＦＩＤタグのＩＣチップを確実に作動させることができるＲＦＩＤタグ付きゼッケンであって、かつゲートに設置された読み取り装置によって、確実に識別記号を読み取ることが可能なＲＦＩＤタグ付きゼッケンを提供することにある。
【課題を解決するための手段】
【０００９】
上述の目的を達成するために、この発明によるＲＦＩＤタグ付きゼッケンは、以下の特徴を備えている。
【００１０】
すなわち、この発明によるＲＦＩＤタグ付きゼッケンは、第１の領域、第２の領域、及び第３の領域が第１の方向に沿ってこの順に接続されたシート状体を備えている。第１の領域と第２の領域とは、谷折り可能な第１の境界線を介して接続されている。第２の領域と第３の領域とは、第２の境界線を介して接続されている。第２の領域又は第３の領域には、ＲＦＩＤタグが取り付けられている。第２の領域及び第３の領域は、第１の境界線が谷折りされることによって、第１の領域に対して起立可能である。
【００１１】
また、この発明によるＲＦＩＤタグ付きゼッケンでは、第１の境界線又は第１の領域に、スリットが形成され、及び第３の領域の、第２の境界線と反対の側に、スリットと係合する係合部が設けられた構成とすることができる。
【００１２】
また、この発明によるＲＦＩＤタグ付きゼッケンでは、第２の境界線が、折り曲げ可能に形成され、及び第２の領域と第３の領域との、第１の方向に沿った寸法が異なる構成とすることができる。
【００１３】
また、この発明によるＲＦＩＤタグ付きゼッケンは、使用時において、第１の境界線が表面に対して谷折りされており、第２の領域及び第３の領域は、第１の領域に対して起立している。
【発明の効果】
【００１４】
この発明によるＲＦＩＤタグ付きゼッケンでは、第２の領域及び第３の領域が、第１の領域に対して起立可能である。そして、ＲＦＩＤタグは、使用時において起立する第２の領域又は第３の領域に取り付けられている。
【００１５】
従って、この発明によるＲＦＩＤタグ付きゼッケンを装着した参加者が、読み取り装置が設置されたゲートを通過する際に、読み取り装置の走査方向と、ＲＦＩＤタグが取り付けられた第２の領域又は第３の領域の面方向とが交差する。そのため、この発明によるＲＦＩＤタグ付きゼッケンでは、ゲートに設置された読み取り装置によって、確実にＲＦＩＤタグが有する識別記号が読み取られる。
【００１６】
また、ＲＦＩＤタグが取り付けられた第２の領域又は第３の領域が、使用時において起立するため、ＲＦＩＤタグ付きゼッケンを装着した参加者の体表から、ＲＦＩＤタグを離間させることができる。その結果、リーダ／ライタが発振した電磁波によりアンテナに誘起される起電力が低下することがなく、ＩＣチップが正常に作動する。
【図面の簡単な説明】
【００１７】
【図１】（Ａ）及び（Ｂ）は、第１のＲＦＩＤタグ付きゼッケンの模式図である。
【図２】（Ａ）及び（Ｂ）は、第１のＲＦＩＤタグ付きゼッケンの、使用時における状態を示す模式図である。
【図３】変形例によるＲＦＩＤタグ付きゼッケンの模式図である。
【図４】（Ａ）及び（Ｂ）は、第２のＲＦＩＤタグ付きゼッケンの模式図である。
【図５】（Ａ）及び（Ｂ）は、第３のＲＦＩＤタグ付きゼッケンの模式図である。
【図６】（Ａ）は、第４のＲＦＩＤタグ付きゼッケンの模式図である。（Ｂ）は、第４のＲＦＩＤタグ付きゼッケンの、製造過程における状態を示す模式図である。
【発明を実施するための形態】
【００１８】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１９】
（第１の実施の形態）
図１を参照して、この発明の第１の実施の形態によるＲＦＩＤタグ付きゼッケン（以下、第１のＲＦＩＤタグ付きゼッケン）について説明する。図１（Ａ）及び（Ｂ）は、第１のＲＦＩＤタグ付きゼッケンの模式図である。図１（Ａ）は、第１のＲＦＩＤタグ付きゼッケンの一方の主表面（以下、表面とも称する）を示す平面図である。また、図１（Ｂ）は、他方の主表面（以下、裏面とも称する）を示す平面図である。
【００２０】
第１のＲＦＩＤタグ付きゼッケン１００は、第１の領域１０、第２の領域２０及び第３の領域３０を含むシート状体６０を備えている。シート状体６０として、例えば、紙や合成樹脂、より具体的には、不織布、合成紙、又は合成樹脂でコーティングした布等の、シート形状を維持し易い材料を用いるのが好ましい。
【００２１】
第１の領域１０、第２の領域２０及び第３の領域３０は、第１の方向（図１に矢印で示す）Ｉに沿ってこの順に接続されている。図１に示す構成例では、第１の領域１０、第２の領域２０及び第３の領域３０は、第１の方向Ｉに沿った中心線（図１に破線で示す）ＩＩＩを一致させて配置されている。また、装着時において、第１の領域１０が最上位となるように配置されている。第１の領域１０と第２の領域２０とは、第１の境界線１５を介して接続されている。また、第２の領域２０と第３の領域３０とは、第２の境界線２５を介して接続されている。
【００２２】
第１の領域１０は、表面１００ａ側に、従来用いられているゼッケンと同様に、大会名や参加者の登録番号等が印字される印字部として使用可能である。
【００２３】
第２の領域２０又は第３の領域３０には、ＲＦＩＤタグ４０が取り付けられる。図１の構成例では、ＲＦＩＤタグ４０は、第２の領域２０の裏面１００ｂ側に取り付けられている。ここでは、ＲＦＩＤタグ４０を、例えば粘着材を用いて第２の領域２０に取り付けることができる。
【００２４】
ＲＦＩＤタグ４０は、例えば受動型のＲＦＩＤタグであり、ＩＣチップとアンテナとを備えている。ＩＣチップは、情報が電気的に格納される部分であり、参加者を識別する識別記号が格納される。アンテナは、情報の送受信に用いられる部分である。ＲＦＩＤタグ４０が読み取り装置によって走査される際には、アンテナから識別記号が読み取られる。
【００２５】
第３の領域３０には、係合部５０が設けられている。係合部５０は、第３の領域３０の、第２の境界線２５と反対側の端縁３０ａに設けられている。係合部５０は、後述するスリット５５と係合可能な形状で形成されている。また、係合部５０は、例えば、第１の方向Ｉに沿って、第２の境界線２５と反対の側を指す矢印形状で形成されるのが好ましい。
【００２６】
第２の領域２０と第３の領域３０とは、第１の方向Ｉに沿った寸法が異なっているのが好ましい。図１の構成例では、第３の領域３０の第１の方向Ｉに沿った寸法が、第２の領域２０の第１の方向Ｉに沿った寸法よりも大きく設定されている。また、第２の領域２０と第３の領域３０とは、第１の方向Ｉに直交する第２の方向（図１に矢印で示す）ＩＩに沿った寸法が等しく設定されている。なお、以下、第１の方向Ｉに沿った寸法を長さと称する。また、第２の方向ＩＩに沿った寸法を幅と称する。
【００２７】
第１の境界線１５は、折れ線又は曲線であるのが好ましい。図１の構成例では、第１の境界線１５が、中心線ＩＩＩに対して対称であり、かつ第２の領域２０側に凸の折れ線である場合を示している。そして、第１の境界線１５に沿ってミシン目が形成されており、第１の境界線１５において、シート状体６０を谷折りすることが可能である。第１の境界線１５が谷折りされることによって、第２の領域２０及び第３の領域３０を、第１の領域１０に対して起立させることが可能である。
【００２８】
また、第１の境界線１５には、スリット５５が形成されている。スリット５５は、第１の境界線１５の線分内であって、上述した係合部５０と対向する位置に形成される。
【００２９】
第２の境界線２５は、図１及び図２に示す構成例では直線としているが、これに限定されない。この第２の境界線２５において、シート状体６０を折り曲げることが可能である。そして、図１及び図２に示すように、第２の境界線２５に沿ってミシン目を形成すれば、折り曲げをより容易にすることができる。
【００３０】
図２を参照して、第１のＲＦＩＤタグ付きゼッケン１００の使用時における状態の一例について説明する。図２（Ａ）は、第１のＲＦＩＤタグ付きゼッケン１００の使用時における状態を、模式的に示す斜視図である。また、図２（Ｂ）は、第１のＲＦＩＤタグ付きゼッケン１００の使用時における状態を、模式的に示す側面図である。
【００３１】
第１のＲＦＩＤタグ付きゼッケン１００の使用時には、第１の境界線１５においてシート状体６０が表面１００ａに対して谷折りされることによって、第２の領域２０及び第３の領域３０が、第１の領域１０に対して起立している。さらに、第３の領域３０の端縁３０ａが第１の境界線１５と合致するように、第２の境界線２５においてシート状体６０が、表面１００ａに対して山折りされる。そして、係合部５０が、スリット５５を裏面１００ｂ側から表面１００ａ側へ貫通することによって、係合部５０とスリット５５とが係合されている。
【００３２】
上述したように、ここでは、第３の領域３０の長さＬ３が、第２の領域２０の長さＬ２よりも大きく設定されている。その結果、係合部５０とスリット５５とが係合した際に、第３の領域３０がたわむため、第２の領域２０及び第３の領域３０が、第１の領域１０に対して起立した立体形状を保つことができる。そして、第２の境界線２５において山折りされた第２の領域２０及び第３の領域３０の、シート形状に戻ろうとする応力によって、第２の領域２０が起立した状態で維持される。
【００３３】
また、第１のＲＦＩＤタグ付きゼッケン１００が参加者に装着されると、第１の領域１０は、参加者の体表に沿って、表面１００ａ側に出っ張るように湾曲し易い。上述したように、第１の境界線１５は、第２の領域２０側に凸の折れ線とされている。従って、第１の領域１０が表面１００ａ側に出っ張るように湾曲する場合、第１の境界線１５における谷折りが維持され、その結果、第２の領域２０が起立した状態で維持される。
【００３４】
このように、第１のＲＦＩＤタグ付きゼッケン１００では、使用時において、第２の領域２０及び第３の領域３０が、第１の領域１０に対して起立する。そして、ＲＦＩＤタグ４０は、第２の領域２０に取り付けられている。従って、第１のＲＦＩＤタグ付きゼッケン１００を装着した参加者が、読み取り装置が設置されたゲートを通過する際に、読み取り装置の走査方向と、ＲＦＩＤタグ４０が取り付けられた第２の領域２０の面方向とが交差する。そのため、第１のＲＦＩＤタグ付きゼッケン１００では、ゲートに設置された読み取り装置によって、確実にＲＦＩＤタグ４０が有する識別記号が読み取られる。
【００３５】
また、ＲＦＩＤタグ４０が取り付けられた第２の領域２０が、使用時において起立するため、ＲＦＩＤタグ付きゼッケン１００を装着した参加者の体表から、ＲＦＩＤタグを離間させることができる。その結果、リーダ／ライタが発振した電磁波によりアンテナに誘起される起電力が低下することがなく、ＩＣチップが正常に作動する。
【００３６】
また、第１のＲＦＩＤタグ付きゼッケン１００では、係合部５０とスリット５５とを係合させることによって、シート状体６０が第２の境界線２５において山折りされた状態を維持することができる。従って、参加者が、簡易に、第１のＲＦＩＤタグ付きゼッケン１００を、図２に示す使用時の状態とすることができる。また、第２の境界線２５における山折りを維持するために、例えば粘着材等を用いる必要がない。そのため、例えば粘着材を用いる場合に、使用前の粘着材を被覆するための剥離紙を必要としない。従って、第１のＲＦＩＤタグ付きゼッケン１００を、図２に示す使用時の状態とする際に、剥離紙を廃棄する必要がない。
【００３７】
ただし、第１のＲＦＩＤタグ付きゼッケン１００では、係合部５０及びスリット５５に替えて、粘着材等の他の手段を用いて、シート状体６０が第２の境界線２５において山折りされた状態を維持する構成とすることもできる。
【００３８】
ここで、図１に示す構成例の第１のＲＦＩＤタグ付きゼッケン１００について、ＲＦＩＤタグ４０が取り付けられた第２の領域２０を、使用時において確実に起立させて維持するための好適な設計寸法の一例について説明する。ここでは、シート状体６０を、例えば、ポリエステルでコーティングした不織布、又はポリエステルでコーティングした布を材料とした場合を例として説明する。第２の領域２０の幅Ｗ２及び第３の領域３０の幅Ｗ３をともに９０ｍｍ、第２の領域２０の長さＬ２を２０ｍｍ、矢印形状で形成した係合部５０の箆の幅Ｗ４を１８〜１９ｍｍの範囲内の値、及び長さＬ４を２〜３ｍｍの範囲内の値、係合部５０の矢尻の幅Ｗ５の最大幅を２４ｍｍ、及び長さＬ５を５ｍｍ、並びにスリット５５の幅Ｗ６を２０ｍｍとするのが好適である。また、第３の領域３０の長さＬ３を、少なくとも３０ｍｍ以上とするのが好適である。また、第１の境界線１５の、第２の方向ＩＩに対する角度θを３〜１０°の範囲内の値、より好ましくは３°とするのが好適である。なお、図１では、角度θを、第１の境界線１５と第２の方向ＩＩに沿った仮想線（図１に破線で示す）ＩＶとのなす角の角度として示してある。また、第１の領域１０の長さＬ１及び幅Ｗ１は、例えば日本陸上競技連盟の規定等を含め、大会毎に定められる規定に応じて適宜設定するのが良い。
【００３９】
なお、図１及び図２では、第１の境界線１５が第２の領域２０側に凸の折れ線である構成例を示したが、第１の境界線１５を、第１の領域１０側に凸の折れ線又は曲線とすることもできる。
【００４０】
また、図１及び図２では、第２の領域２０及び第３の領域３０の幅Ｗ２及びＷ３を一致させ、かつ第２の領域２０及び第３の領域３０の幅Ｗ２及びＷ３と第１の領域１０の幅Ｗ１とを異なる寸法とした構成例を示した。しかし、第１の領域１０、第２の領域２０及び第３の領域３０の幅Ｗ１、Ｗ２及びＷ３の関係は、これに限定されない。例えば、第１の領域１０、第２の領域２０及び第３の領域３０の幅Ｗ１、Ｗ２及びＷ３を全て等しく設定することもできる。
【００４１】
また、図１及び図２では、上下方向にとった第１の方向Ｉに沿って、第１の領域１０、第２の領域２０及び第３の領域３０を接続する構成例を示した。しかし、第１の方向Ｉを水平方向にとり、水平方向に第１の領域１０、第２の領域２０及び第３の領域３０を接続することもできる。
【００４２】
また、ここでは、使用時において、第２の境界線２５においてシート状体６０が山折りされる構成例について説明したが、例えば第２の境界線２５を折り曲げずに、第２の領域２０及び第３の領域３０を筒状に湾曲させて、係合部５０とスリット５５とを係合させることもできる。
【００４３】
ここで、図１及び図２では、第１の領域１０が略長方形状である構成例を示したが、第１の領域１０の形状はこれに限定されない。図３に、変形例によるＲＦＩＤタグ付きゼッケンとして、第１の領域の形状を変更した構成例を示す。
【００４４】
変形例によるＲＦＩＤタグ付きゼッケン１５０では、第２の領域２０の三方及び第３の領域３０の二方が、第１の領域１１０によって囲われている。図３に示す構成例では、第２の領域２０及び第３の領域３０は、第３の領域３０の、第２の境界線２５と反対側の端縁３０ａを除く周辺が、第１の領域１１０によって囲われている。第２の領域２０及び第３の領域３０の、第１の方向Ｉに沿った両側端１６ａ及び１６ｂは、切り込み１７ａ及び１７ｂによって、第１の領域１１０と分離されている。
【００４５】
変形例によるＲＦＩＤタグ付きゼッケン１５０では、製造時において、シート状体６０を材料となる紙や合成樹脂から切り出した後に残存する、材料の廃棄部分の面積を、第１のＲＦＩＤタグ付きゼッケン１００と比して小さくすることができる。
【００４６】
（第２の実施の形態）
図４を参照して、この発明の第２の実施の形態によるＲＦＩＤタグ付きゼッケン（以下、第２のＲＦＩＤタグ付きゼッケン）について説明する。図４（Ａ）及び（Ｂ）は、ＲＦＩＤタグ付きゼッケンの模式図である。図４（Ａ）は、第２のＲＦＩＤタグ付きゼッケンの表面を示す平面図である。また、図４（Ｂ）は、第２のＲＦＩＤタグ付きゼッケンの使用時における状態を、模式的に示す側面図である。なお、図１を参照して説明した第１のＲＦＩＤタグ付きゼッケン１００と同様の構成要素については、共通する符号を付し、説明を省略する。
【００４７】
第２のＲＦＩＤタグ付きゼッケン２００では、第２の領域２０の長さが、第３の領域３０の長さよりも大きく設定されている。また、第３の領域３０の表面１００ａ側に、ＲＦＩＤタグ４０が取り付けられている。
【００４８】
第２のＲＦＩＤタグ付きゼッケン２００は、使用時には、第１の境界線１５においてシート状体６０が表面１００ａに対して谷折りされることによって、第２の領域２０及び第３の領域３０が、第１の領域１０に対して起立している（図４（Ｂ）参照）。さらに、第３の領域３０の端縁３０ａが第１の境界線１５と合致するように、第２の境界線２５においてシート状体６０が、表面１００ａに対して谷折りされる。そして、係合部５０が、スリット５５を表面１００ａ側から裏面１００ｂ側へ貫通することによって、係合部５０とスリット５５とが係合されている。
【００４９】
上述したように、ここでは、第２の領域２０の長さＬ２が、第３の領域３０の長さＬ３よりも大きく設定されている。その結果、係合部５０とスリット５５とが係合した際に、第２の領域２０がたわむため、第２の領域２０及び第３の領域３０が、第１の領域１０に対して起立した立体形状を保つことができる。そして、第２の境界線２５において谷折りされた第２の領域２０及び第３の領域３０の、シート形状に戻ろうとする応力によって、第２の領域２０が起立した状態で維持される。
【００５０】
なお、第２のＲＦＩＤタグ付きゼッケン２００においても、上述した第１のＲＦＩＤタグ付きゼッケン１００と同様に、係合部５０及びスリット５５に替えて、粘着材等の他の手段を用いて、シート状体６０が第２の境界線２５において谷折りされた状態を維持する構成とすることもできる。
【００５１】
（第３の実施の形態）
図５を参照して、この発明の第３の実施の形態によるＲＦＩＤタグ付きゼッケン（以下、第３のＲＦＩＤタグ付きゼッケン）について説明する。図５（Ａ）及び（Ｂ）は、ＲＦＩＤタグ付きゼッケンの模式図である。図５（Ａ）は、第３のＲＦＩＤタグ付きゼッケンの表面を示す平面図である。また、図５（Ｂ）は、第３のＲＦＩＤタグ付きゼッケンの使用時における状態を、模式的に示す側面図である。なお、図１を参照して説明した第１のＲＦＩＤタグ付きゼッケン１００、及び図４を参照して説明した第２のＲＦＩＤタグ付きゼッケン２００と同様の構成要素については、共通する符号を付し、説明を省略する。
【００５２】
第３のＲＦＩＤタグ付きゼッケン３００では、第２のＲＦＩＤタグ付きゼッケン２００と同様に、第２の領域２０の長さが、第３の領域３０の長さよりも大きく設定されている。また、第３の領域３０の表面１００ａ側に、ＲＦＩＤタグ４０が取り付けられている。
【００５３】
また、第３のＲＦＩＤタグ付きゼッケン３００では、第１の境界線１５に形成されるスリット（第１のスリット）５５とは別のスリット（第２のスリット）５７が、第１の領域１０に形成される。第２のスリット５７は、第１の領域１０内の、係合部５０と対向する位置に、第２の方向ＩＩに沿って形成される。第２のスリット５７と第１の境界線１５との間の離間距離は、第２の領域２０の長さＬ２と第３の領域３０の長さＬ３との和よりも小さく設定される。第２のスリット５７は、係合部５０と係合可能に形成される。
【００５４】
また、第３のＲＦＩＤタグ付きゼッケン３００では、第２のスリット５７のみでなく、第１の境界線１５に、第１のスリット５５も形成されているのが好ましい。図５では、第１のスリット５５及び第２のスリット５７がともに形成されている構成例を示している。
【００５５】
第３のＲＦＩＤタグ付きゼッケン３００は、第２のＲＦＩＤタグ付きゼッケン２００と同様に、使用時には、第１の境界線１５及び第２の境界線２５においてシート状体６０が表面１００ａに対して谷折りされる（図５（Ｂ）参照）。そして、係合部５０が、第２のスリット５７を表面１００ａ側から裏面１００ｂ側へ貫通することによって、係合部５０とスリット５７とが係合される。
【００５６】
第３のＲＦＩＤタグ付きゼッケン３００では、第２のＲＦＩＤタグ付きゼッケン２００と同様に、第２の領域２０がたわむことによって、第２の領域２０及び第３の領域３０が、第１の領域１０に対して起立した立体形状を保つことができる。さらに、第１の境界線１５に第１のスリット５５が形成される場合には、第１のスリット５５によって、第１の境界線１５における谷折りが維持される。
【００５７】
（第４の実施の形態）
図６を参照して、この発明の第４の実施の形態によるＲＦＩＤタグ付きゼッケン（以下、第４のＲＦＩＤタグ付きゼッケン）について説明する。図６（Ａ）は、第４のＲＦＩＤタグ付きゼッケンの模式図であり、第４のＲＦＩＤタグ付きゼッケンの表面を示す平面図である。なお、図１を参照して説明した第１のＲＦＩＤタグ付きゼッケン１００、図４を参照して説明した第２のＲＦＩＤタグ付きゼッケン２００、及び図５を参照して説明した第３のＲＦＩＤタグ付きゼッケン３００と同様の構成要素については、共通する符号を付し、説明を省略する。
【００５８】
第４のＲＦＩＤタグ付きゼッケン４００では、第１の領域１０、第２の領域２０及び第３の領域３０は、第１の方向Ｉに沿ってこの順に接続されている。そして、装着時において、第３の領域３０が最上位となるように配置されている。また、図６に示す構成例では、第２の領域２０及び第３の領域３０は、第１の方向Ｉに沿った中心線（図６に破線で示す）Ｖを一致させて配置されている。さらに、第２の領域２０及び第３の領域３０の中心線Ｖは、第１の領域１０の、第１の方向Ｉに沿った中心線（図６に破線で示す）ＶＩから外れている。
【００５９】
また、図６（Ａ）に示す構成例では、第３の領域３０の長さＬ３が、第２の領域２０の長さＬ２よりも大きく設定されている。また、第２の領域３０の表面１００ａ側に、ＲＦＩＤタグ４０が取り付けられている。
【００６０】
第４のＲＦＩＤタグ付きゼッケン４００は、使用時には、第１の境界線１５においてシート状体６０が表面１００ａに対して谷折りされることによって、第２の領域２０及び第３の領域３０が、第１の領域１０に対して起立する。さらに、第３の領域３０の端縁３０ａが第１の境界線１５と合致するように、第２の境界線２５においてシート状体６０が、表面１００ａに対して谷折りされる。そして、係合部５０が、スリット５５を表面１００ａ側から裏面１００ｂ側へ貫通することによって、係合部５０とスリット５５とが係合されている。
【００６１】
上述したように、ここでは、第３の領域３０の長さＬ３が、第２の領域３０の長さＬ２よりも大きく設定されている。その結果、係合部５０とスリット５５とが係合した際に、第３の領域３０がたわむため、第２の領域２０及び第３の領域３０が、第１の領域１０に対して起立した立体形状を保つことができる。そして、第２の境界線２５において谷折りされた第２の領域２０及び第３の領域３０の、シート形状に戻ろうとする応力によって、第２の領域２０が起立した状態で維持される。
【００６２】
なお、ここでは、第３の領域３０の長さＬ３を、第２の領域２０の長さＬ２よりも大きく設定する構成例について説明したが、第４のＲＦＩＤタグ付きゼッケン４００では、第２の領域２０の長さＬ２を、第３の領域３０の長さＬ３よりも大きく設定することもできる。その場合には、ＲＦＩＤタグ４０は第３の領域３０の裏面１００ｂ側に取り付けられ、使用時において、第２の境界線２５を山折りすることによって、係合部５０とスリット５５とが係合させる。その結果、第２の領域２０がたわむため、第２の領域２０及び第３の領域３０が、第１の領域１０に対して起立した立体形状を保つことができる。そして、第２の境界線２５において山折りされた第２の領域２０及び第３の領域３０の、シート形状に戻ろうとする応力によって、第２の領域２０が起立した状態で維持される。
【００６３】
ここで、図６（Ｂ）は、第４のＲＦＩＤタグ付きゼッケン４００の、製造過程における状態を示す模式図である。
【００６４】
上述したように、第４のＲＦＩＤタグ付きゼッケン４００では、第２の領域２０及び第３の領域３０と第１の領域１０とを、それぞれの中心線が外れるように配置している。従って、図６（Ｂ）に示すように、紙や合成樹脂等の材料体５００に対して、複数のシート状体６０を型取りする際に、第２の領域２０及び第３の領域３０が設けられる側を対向させ、かつ第２の領域２０及び第３の領域３０が互い違いになるように配置することができる。その結果、シート状体６０を材料体５００から切り出した後に残存する、材料体５００の廃棄部分の面積を小さくすることができる。なお、上述した第１のＲＦＩＤタグ付きゼッケン１００、第２のＲＦＩＤタグ付きゼッケン２００、第３のＲＦＩＤタグ付きゼッケン３００においても、第２の領域２０及び第３の領域３０と第１の領域１０とを、それぞれの中心線が外れるように配置することによって、同様の効果を得ることができる。
【００６５】
また、第４のＲＦＩＤタグ付きゼッケン４００の製造過程において、材料体５００の廃棄部分の面積を小さく抑える必要がない場合には、第１の領域１０、第２の領域２０及び第３の領域３０の、それぞれの中心線を一致させて配置することもできる。また、１枚の、紙や合成樹脂等の材料体から、１つのシート状体６０を切り出して製造することもできる。
【符号の説明】
【００６６】
１０：第１の領域
１５：第１の境界線
２０：第２の領域
２５：第２の境界線
３０：第３の領域
４０：ＲＦＩＤタグ
５０：係合部
５５：スリット（第１のスリット）
５７：スリット（第２のスリット）
６０：シート状体
１００：第１のＲＦＩＤタグ付きゼッケン
２００：第２のＲＦＩＤタグ付きゼッケン
３００：第３のＲＦＩＤタグ付きゼッケン
４００：第４のＲＦＩＤタグ付きゼッケン
【図１】
2014191293.tif 000003
【図２】
2014191293.tif 000004
【図３】
2014191293.tif 000005
【図４】
2014191293.tif 000006
【図５】
2014191293.tif 000007
【図６】
2014191293.tif 000008
【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
第１の領域、第２の領域、及び第３の領域が第１の方向に沿ってこの順に接続されたシート状体を備え、
前記第１の領域と前記第２の領域とは、谷折り可能な第１の境界線を介して接続され、
前記第２の領域と前記第３の領域とは、第２の境界線を介して接続され、
前記第２の領域又は前記第３の領域には、ＲＦＩＤタグが取り付けられ、
前記第１の境界線には、スリットが形成され、
前記第３の領域の、前記第２の境界線と反対の側には、前記スリットと係合する係合部が設けられ、
前記第２の領域及び前記第３の領域は、前記第１の境界線が谷折りされることによって、前記第１の領域に対して起立可能であり、
前記第１の境界線は、前記第１の領域又は前記第２の領域側に凸の折れ線又は曲線である
ことを特徴とするＲＦＩＤタグ付きゼッケン。
【請求項２】
第１の領域、第２の領域、及び第３の領域が第１の方向に沿ってこの順に接続されたシート状体を備え、
前記第１の領域と前記第２の領域とは、谷折り可能な第１の境界線を介して接続され、
前記第２の領域と前記第３の領域とは、第２の境界線を介して接続され、
前記第２の領域又は前記第３の領域には、ＲＦＩＤタグが取り付けられ、
前記第１の領域には、スリットが形成され、
前記第３の領域の、前記第２の境界線と反対の側には、前記スリットと係合する係合部が設けられ、
前記第２の領域及び前記第３の領域は、前記第１の境界線が谷折りされることによって、前記第１の領域に対して起立可能であり、
前記第１の境界線は、前記第１の領域又は前記第２の領域側に凸の折れ線又は曲線である
ことを特徴とするＲＦＩＤタグ付きゼッケン。
【請求項３】
さらに、前記第１の境界線にスリットが形成されている
ことを特徴とする請求項２に記載のＲＦＩＤタグ付きゼッケン。
【請求項４】
第１の領域、第２の領域、及び第３の領域が第１の方向に沿ってこの順に接続されたシート状体を備え、
前記第１の領域と前記第２の領域とは、谷折り可能な第１の境界線を介して接続され、
前記第２の領域と前記第３の領域とは、第２の境界線を介して接続され、
前記第２の領域又は前記第３の領域には、ＲＦＩＤタグが取り付けられ、
前記第１の領域には、スリットが形成され、
前記第３の領域の、前記第２の境界線と反対の側には、前記スリットと係合する係合部が設けられ、
前記第２の領域及び前記第３の領域は、前記第１の境界線が谷折りされることによって、前記第１の領域に対して起立可能であり、
さらに、前記第１の境界線にスリットが形成されている
ことを特徴とするＲＦＩＤタグ付きゼッケン。
【請求項５】
第１の領域、第２の領域、及び第３の領域が第１の方向に沿ってこの順に接続されたシート状体を折り曲げて構成され、
前記第１の領域と前記第２の領域とは、第１の境界線を介して接続され、
前記第２の領域と前記第３の領域とは、第２の境界線を介して接続され、
前記第２の領域には、ＲＦＩＤタグが取り付けられ、
前記第１の境界線が前記シート状体の表面に対して谷折りされており、前記第２の領域は、前記第１の領域に対して起立しており、
前記第１の境界線は、前記第１の領域又は前記第２の領域側に凸の折れ線又は曲線である
ことを特徴とするＲＦＩＤタグ付きゼッケン。
【請求項６】
前記第２の境界線は、折り曲げ可能に形成されている
ことを特徴とする請求項１に記載のＲＦＩＤタグ付きゼッケン。
【請求項７】
前記第２の境界線が、折り曲げられている
ことを特徴とする請求項５に記載のＲＦＩＤタグ付きゼッケン。
【請求項８】
前記第２の領域と前記第３の領域とは、前記第１の方向に沿った寸法が異なる
ことを特徴とする請求項６又は７に記載のＲＦＩＤタグ付きゼッケン。
【請求項９】
前記第２の境界線は、折り曲げ可能に形成されている
ことを特徴とする請求項２〜４のいずれか一項に記載のＲＦＩＤタグ付きゼッケン。
【請求項１０】
前記第２の領域は、前記第１の方向に沿った寸法が前記第３の領域よりも大きい
ことを特徴とする請求項９に記載のＲＦＩＤタグ付きゼッケン。
【請求項１１】
第１の領域、第２の領域、及び第３の領域が第１の方向に沿ってこの順に接続されたシート状体を備え、
前記第１の領域と前記第２の領域とは、谷折り可能な第１の境界線を介して接続され、
前記第２の領域と前記第３の領域とは、第２の境界線を介して接続され、
前記第２の領域又は前記第３の領域には、ＲＦＩＤタグが取り付けられ、
前記第２の領域及び前記第３の領域は、前記第１の境界線が谷折りされることによって、前記第１の領域に対して起立可能であり、
前記第２の境界線は、折り曲げ可能に形成されており、
前記第２の領域と前記第３の領域とは、前記第１の方向に沿った寸法が異なり、
前記第１の境界線は、前記第１の領域又は前記第２の領域側に凸の折れ線又は曲線である
ことを特徴とするＲＦＩＤタグ付きゼッケン。